(57)【要約】      （修正有）【課題】アームに対するチューブの密着力を均一なものとし、チューブの破損を防止するフレキシブルアームを有する照明器具を提供する。【解決手段】照明器具は、フレキシブルパイプ１４と保護チューブ１８の間に中間チューブ１６を介在させているため、固定パイプ１２とフレキシブルパイプ１４の間に生じた段差を埋めることができる。従って、保護チューブが、薄く破れやすいものであっても、固定パイプ１２とフレキシブルパイプ１４の間に生じた段差が原因となり破れてしまうという自体を防止することができる。【選択図】図２
0003164930.tif 000002
【実用新案登録請求の範囲】
【請求項１】
アーム部材（１０）と，前記アーム部材（１０）の一端に取り付けられた照明部材（２０）と，前記アーム部材（１０）の他端が固定されたベース部材（３０）とを有する照明器具（１）であって，
前記アーム部材（１０）は，
一端が前記ベース部材（３０）に固定され，少なくとも他端が中空構造となっている固定パイプ（１２）と，
一端に前記照明部材（２０）が取り付けられ，少なくとも他端が前記固定パイプ（１２）の他端に挿入され固着された，柔軟に湾曲可能なフレキシブルパイプ（１４）と，
前記固定パイプ（１２）との接点まで前記フレキシブルパイプ（１４）を被覆し，前記フレキシブルパイプ（１４）が前記固定パイプ（１２）に挿入されることにより形成された段差を埋める素材の厚みを有する中間チューブ（１６）と，
前記固定パイプ（１２），前記フレキシブルパイプ（１４），及び中間チューブ（１６）を有するアーム部材（１０）全体を被覆する保護チューブ（１８）を含む
照明器具（１）。
【請求項２】
前記中間チューブ（１６）を形成する素材の厚みは，前記フレキシブルパイプ（１４）が挿入された前記固定部材（１２）の他端を形成する素材の厚みと略同一である
請求項１に記載の照明器具（１）。
【請求項３】
前記固定パイプ（１２）と前記フレキシブルパイプ（１４）は，固着されている
請求項１に記載の照明器具（１）。
【請求項４】
前記フレキシブルパイプ（１４）の一端には可動ボール（１９）が連結され，
前記照明部材（２０）は，
前記可動ボール（１９）を挟持する挟持部（２２）と，
前記挟持部（２２）が前記可動ボール（１９）を挟み込む力を調整する調整部（２４）を有する
請求項１に記載の照明器具（１）
【請求項５】
前記照明部材（２０）は，着脱可能なシェード部（２６）を有する
請求項１に記載の照明器具（１）。
【請求項６】
前記可動ボール（１９）には，回転止め螺子（２１）が螺合されており，
前記挟持部（２２）には，その一部に，円形開口部（２２）が形成されており，
前記回転止め螺子（２１）は，前記可動ボール（１９）が前記挟持部（２２）に挟持されている状態において，前記円形開口部（２２）内に位置するように，前記可動ボール（１９）に螺合されている
請求項１に記載の照明器具（１）。
【考案の詳細な説明】
【技術分野】
【０００１】
本考案は，自在に湾曲可能なアームを有するスタンド型の照明器具に関する。特に，本考案は，アームが保護チューブで覆われた手触りの良い照明器具に関する。
【背景技術】
【０００２】
従来から，自在に湾曲可能なアームを有するスタンド型の照明器具が知られている。この種の照明器具は，フレキシブルなアームを有することにより，照明器具の用途や設置場所に応じて，照明部材の照射方向を適宜調整することができるものである。
【０００３】
従来のフレキシブルなアームを有する照明器具は，特開２００９―１４６６３８号公報（特許文献１）に開示されている。特許文献１に開示された従来の照明器具は，中空構造の固定部材に支柱部材（フレキシブル）を挿入することによりアームを形成する。そして，アーム全体を，柔軟性を有するゴム製のチューブによって被覆する。
【０００４】
しかしながら，従来の照明器具のアームは，固定部材に支柱部材を挿入し，その表面をチューブによって覆っただけのものであった。従って，固定部材に支柱部材を挿入した際に，固定部材を形成する素材の厚みの分だけ，固定部材と支柱部材との間に段差が生じることとなる。このように段差が生じたアームをチューブで被覆した場合，その段差が原因で，アームに対するチューブの密着力が不均一となる。すると，アームに生じた段差にチューブが引っ掛かるようなかたちで，チューブが破れるという事態が生じていた。すなわち，チューブによって覆われるアームの一部が突出したものである場合，その突出した部分のみ，チューブの密着力が高まる。すると，アームの突出した部分においては，チューブが強く引張され，チューブを形成する素材が薄くなる。このように，チューブを形成する素材が薄くなった箇所は，比較的弱い衝撃であっても破れやすくなっている。また，チューブを形成する素材が時間の経過とともに劣化した場合，チューブは，素材が薄くなった箇所から破損する。このように，アームに対するチューブの密着力が不均一な状態は，製品の品質管理上，好ましくないものであった。
【０００５】
また，アームに生じた段差は，照明器具の外観を損ねるものであった。さらに，アームに生じた段差は，チューブで被覆されたアームの手触りをも損ねるものであった。
【先行技術文献】
【特許文献】
【０００６】
【特許文献１】特開２００９―１４６６３８号公報
【考案の概要】
【考案が解決しようとする課題】
【０００７】
そこで，本考案は，アームに対するチューブの密着力を均一なものとし，チューブの破損を防止するフレキシブルアームを有する照明器具を提供することを目的とする。
【０００８】
また，本考案は，フレキシブルアームに存在する段差を目立たなくさせ，照明器具の美観及び手触りを損なうことのない照明器具を提供することを目的とする。
【課題を解決するための手段】
【０００９】
本考案は，基本的には，固定パイプに挿入されたフレキシブルパイプに中間チューブを被覆させることにより，固定パイプとフレキシブルパイプの段差を埋めることができるという知見に基づく。
【００１０】
本考案に係る照明器具１は，アーム部材１０と，アーム部材１０の一端に取り付けられた照明部材２０と，アーム部材１０の他端が固定されたベース部材３０とを有する。そして，アーム部材１０は，固定パイプ１２，フレキシブルパイプ１４，中間チューブ１６，及び保護チューブ１８を含む。
ここで，固定パイプ１２は，その一端がベース部３０に固定され，少なくとも他端が中空構造となっている。そして，固定パイプの他端には，フレキシブルパイプ１４が挿入され固着される。このように，固定パイプ１２は，フレキシブルパイプ１４を支持するための部材である。
また，フレキシブルパイプ１４は，その一端に照明部材２０が取り付けられ，少なくとも他端が，固定パイプ１２の中空構造の端に挿入され固着される。そして，フレキシブルパイプ１４は，柔軟に湾曲可能な部材である。
また，中間チューブ１６は，固定パイプ１２との接点までフレキシブルパイプ１４を被覆し，フレキシブルパイプ１４が固定パイプ１２に挿入されることにより形成された段差を埋める素材の厚みを有する部材である。
また，保護チューブ１８は，固定パイプ１２，フレキシブルパイプ１４，及び被覆チューブ１６を有するアーム部材１０全体を被覆する部材である。
【００１１】
このように，本考案に係る照明器具１は，特に，フレキシブルパイプ１４と保護チューブ１８の間に中間チューブ１６を介在させているため，固定パイプ１２とフレキシブルパイプ１４の間に生じた段差を埋めることができる。従って，保護チューブ１８が，薄く破れやすいものであっても，固定パイプ１２とフレキシブルパイプ１４の間に生じた段差が原因となり破れてしまうという事態を防止することができる。
【００１２】
本考案に係る照明器具１において，中間チューブ１６を形成する素材の厚みは，フレキシブルパイプ１４が挿入された固定部材１２端を形成する素材の厚みと略同一であることが好ましい。
【００１３】
このように，円筒形状である中間チューブ１６の内壁から外壁までの厚みを，固定パイプ１２のうち中空構造となっている箇所の内壁から外壁までの厚みを同一又は略同一とすることにより，固定パイプ１２とフレキシブルパイプ１４の間に生じた段差を埋めることができる。
【００１４】
本考案に係る照明器具１において，固定パイプ１２とフレキシブルパイプ１４は，固着されていることが好ましい。具体的に，固着の方法は，例えば，スポット溶接，圧入（カシメ），及び螺子止めのような機械的な固着方法である。
【００１５】
例えば，スポット溶接とは，２つの母材（被溶接材料）を圧着しつつ電流を流し，その際の電気抵抗により発生する熱で接合する固着方法である。また，圧入（カシメ）とは，金属板の継ぎ目に圧力を加え，金属板を圧着させる方法である。例えば，固定パイプ１２継ぎ目に形成された凹部に，フレキシブルパイプ１４の継ぎ目に形成された凸部を圧着させる。このような方法により，固定パイプ１２とフレキシブルパイプ１４とを密着させて固定させることができる。従って，両部材の間に空隙が生じることを防止することができる。このため，固定パイプ１２とフレキシブルパイプ１４の間に生じた段差を埋めやすくなる。
【００１６】
本考案に係る照明器具においては，フレキシブルパイプ１４の一端に，可動ボール１９が連結されていることが好ましい。そして，照明部材２０は，可動ボール１９を挟持する挟持部２２と，挟持部２２が可動ボール１９を挟み込む力を調整する調整部２４を有することが好ましい。
【００１７】
このように，本考案は，フレキシブルパイプ１４の一端に連結された可動ボール１９を照明部材の挟持部２２が挟持する構成を有することにより，照明部材２０自体が光を照射する方向を変えることができる。また，本考案は，挟持部２２が可動ボール１９を挟み込む力を調整する調整部２４を有するため，可動ボール１９の動きを調節することができる。すなわち，本考案は，挟持する力を強くすれば可動ボール１９を固定することができ，挟持する力を弱めれば可動ボール１９を動かすことができる。
【００１８】
また，本考案に係る照明器具１において，照明部材２０は，着脱可能なシェード２６を有することが好ましい。
【００１９】
本考案は，シェード２６は着脱可能であるため，照明器具を設置する場所や季節などに合わせて，シェード２６の形や色を変更することができる。
【００２０】
また，本考案に係る照明器具において，可動ボール１９には回転止め螺子２１が螺合されており，挟持部２２の一部には円形開口部が形成されており，回転止め螺子２１は，可動ボール１９が前記挟持部２２に挟持されている状態において，円形開口部内に位置するように，可動ボール１９に螺合されていることが好ましい。従って，挟持部２２は，可動ボール１９に螺合された回転止め螺子２１が円形開口部内で動く範囲において，回転する。
【００２１】
一般的に，挟持部２２が可動ボール１９を挟持することによりシェード２６は自在に可動するが，可動ボール１９の軸を中心として回転し続けることとなる。特に，ネック４２に電線が配置されている場合，可動ボール１９が同じ方向に回転し続けると，電線がよじれ，最終的には断線してしまう可能性がある。すなわち，電線がショートし発火する危険性もある。そこで，可動ボール１９に回転止め螺子２１を設け，挟持部２２に円形開口部２６を形成し，円形開口部内に回転止め螺子２１が位置するように挟持部２２に可動ボール１９を挟持させることにより，挟持部２２の回転範囲を制限することができる。これにより，電線がショートし発火する事態を防止することができる。
【考案の効果】
【００２２】
このように，本考案に係る照明器具は，固定パイプ１２とフレキシブルパイプ１４の段差を埋めるために，フレキシブルパイプ１４と保護チューブ１８の間に中間チューブを介在させたものである。これにより，固定パイプ１２とフレキシブルパイプ１４の段差が生じた場合であっても，アームに対するチューブの密着力を均一なものとすることができる。従って，アームの一部が突出することもないため，チューブの破損を防止することができ，製品の長寿命化にも資する。
【００２３】
また，本考案は，フレキシブルパイプ１４と保護チューブ１８の間に中間チューブを介在させることにより，アームに存在する段差を目立たなくさせることができる，従って，照明器具のアームは滑らかな曲線を描くことができるため，照明器具の美観を損ねることもない。また同様の理由から本考案は，チューブが被覆されたアームの手触りを損なうこともない。
【図面の簡単な説明】
【００２４】
【図１】図１は，本考案に係る照明器具の一例を示す左側面図である。ただし，アーム部材の一部は，断面図となっている。
【図２】図２は，固定パイプ１２とフレキシブルパイプ１４の接点を拡大した断面図である。
【図３】図３は，照明部材２０を拡大した断面図である。
【図４】図４は，本考案に係る照明器具の一例を示す正面図である。
【図５】図５は，本考案に係る照明器具の一例を示す背面図である。
【図６】図６は，本考案に係る照明器具の一例を示す平面図である。
【図７】図７は，本考案に係る照明器具の一例を示す底面図である。
【図８】図８は，本考案に係る照明器具の一例を示す斜視図である。
【考案を実施するための形態】
【００２５】
以下，図面を参照して，本考案を実施するための形態について説明する。ただし，本考案は，以下の実施の形態に限定されるものではなく，当業者にとって自明な範囲で適宜修正したものを含む。
【００２６】
図１は，本考案に係る照明器具１の例を示す左側面図である。ただし，図１では，照明器具１のアーム部材１０の一部を断面図として示している。図１に示すように，照明器具１は，アーム部材１０と，アーム部材１０の一端に取り付けられた照明部材２０と，アーム部材１０の他端が固定されたベース部材３０とを有する。後述するが，アーム部材１０の内部は，固定パイプ１２，フレキシブルパイプ１４，中間チューブ１６，及び保護チューブ１８が層状に形成されている。アーム部材１０のうち，照明部材２０が取り付けられた先端に近い部分には，フレキシブルパイプ１４が挿入されており，柔軟に湾曲させることができる。また，アーム部材１０のうち，ベース部材３０に固定されている下端に近い部分は，固定パイプ１２が形成されており，フレキシブルパイプ１４及び照明部材２０を支持している。アーム部材１０に支持された照明部材２０は，アーム部材１０との連結点であるネック４２が，シェード２６の向きや角度を微調整するために可動するようになっている。ベース部３０は，アーム部材１０と照明部材２０を支持するための基板であり，照明部材２０に設けられた光源に電力を供給するための構造を備えている。ベース部材３０は，商用電源コンセントに接続するためのプラグ３２を有することとしてもよいし，バッテリーを内蔵するものであってもよい。またベース部材３０は，太陽光を電力に変換する太陽電池が敷設されたものであってもよい。
【００２７】
図２は，図１に示した断面箇所を拡大した図である。すなわち，図２は，アーム部材１０のうち，固定パイプ１２とフレキシブルパイプ１４の接点を拡大した断面図である。図２に示すように，アーム部材１０は，円筒状の固定パイプ１２と，固定パイプ１２に挿入された円筒状のフレキシブルパイプ１４と，フレキシブルパイプ１４を被覆する中間チューブ１６と，固定パイプ１２及び中間チューブ１６を被覆する保護チューブ１８とを有する。そして。固定パイプ１２及びフレキシブルチューブ１４内には，電線５０が挿通されている。
【００２８】
固定パイプ１２は，下端がベース部材３０に固定され，上端にフレキシブルパイプ１４が挿入される支持部材である。固定パイプ１２は，中空構造であり円筒状となっている。固定パイプ１２の上端においては，フレキシブルパイプ１４が溶接されていることが好ましい。溶接の方法はスポット溶接であることが好ましい。また，固定パイプ１２には，フレキシブルパイプ１４が圧入（カシメ）されていてもよい。例えば，固定パイプ１２継ぎ目に形成された凹部に，フレキシブルパイプ１４の継ぎ目に形成された凸部を圧着させる。また，固定パイプ１２の下端はベース部材３０に取り付けられる。例えば，固定パイプ１２の下端には，雄ネジが形成され，雌ネジが形成されたベース部材３０に螺合されることとしてもよい。
【００２９】
図１や図４〜８において，固定パイプ１２は，照明器具１の正面から背面に向けて緩やかに湾曲している。図に示すように，アーム部材１０の先端には照明部材２０が取り付けられている。従って，照明器具１が照明部材２０とのバランスを維持し，起立した状態において安定させるために，固定パイプ１２は，背面に反るようにして緩やかに湾曲していることが好ましい。アーム部１０のうち，固定パイプ１２が形成されている長さは，アーム部１０の全長の２０％〜７０％，３０％〜６０％，又は４０％〜５０％程度である。
【００３０】
また，固定パイプ１２は，金属製であることが好ましく，例えばステンレスやアルミニウムで形成されている。ただし，固定パイプ１２は剛性の高いプラスチックやガラスで形成されていてもよい。固定パイプ１２の内壁から外壁までの厚みは，例えば，０．５ｍｍ〜２ｍｍ，０．７ｍｍ〜１．５ｍｍ，又は１ｍｍである。また，固定パイプ１２の口径は，フレキシブルパイプ１４が挿入された際に空隙が生じない程度のものであればよい。例えば，固定パイプの口径は，５ｍｍ〜２０ｍｍ，６ｍｍ〜１５ｍｍ，又は８ｍｍで形成される。
【００３１】
固定パイプ１２の上端には，フレキシブルパイプ１４の下端が挿入され固着される。フレキシブルパイプ１４の下端が固定パイプ１２に上端に挿入される長さは，例えば，５ｍｍ〜５０ｍｍ，１０ｍｍ〜４０ｍｍ，１５ｍｍ〜３０ｍｍ，又は２０ｍｍである。フレキシブルパイプ１４は，中空構造の円筒状に形成されている。そして，フレキシブルパイプ１４内には，電線５０が挿通される。
【００３２】
フレキシブルパイプ１４の上端（固定パイプ１２に挿入された端とは反対の端）は，照明部材２０のネックと連結しており，フレキシブルパイプ１４は照明部材２０を支持している。後述するが，フレキシブルパイプ１４の上端には可動ボール１９が連結され，可動ボール１９を介して，フレキシブルパイプ１４と照明部材２０は連結している。図１や図４〜８において，フレキシブルパイプ１４は，上端に連結された照明部材２０を下方に向かせるように，Ｕ字状に湾曲している。フレキシブルパイプ１４は，柔軟に湾曲させることが可能であるため，照明部材２０が照射する方向を適宜調整することができる。
【００３３】
フレキシブルパイプ１４は，固定パイプ１２に挿入された部分を除き，全体が中間チューブ１６により被覆される。すなわち中間チューブ１６は，フレキシブルパイプ１４が固定パイプに接する部分まで達し，フレキシブルパイプ１４を被覆する。従って，図２に示すように，中間チューブ１６は，固定パイプ１２の上端の断面と接する。中間チューブ１６と固定パイプの上端が接した箇所は，溶接により固着することとしてもよい。
【００３４】
中間チューブ１６の内壁から外壁までの厚みは，固定パイプ１２の内壁から外壁までの厚みと略同一又は同一とされる。従って，フレキシブルパイプ１４を固定パイプ１２に挿入した際に生じる段差が，中間チューブ１６の厚みによって埋められる。中間チューブ１６は，収縮可能な素材によって形成される。具体的には，熱収縮性の素材によって形成されることが好ましい。例えば，中間チューブ１６は，熱収縮チューブで形成される。
【００３５】
図２に示すように，固定パイプ１２及び固定パイプ１２に接した中間チューブ１６の外面は，保護チューブ１８によって被覆される。保護チューブ１８は柔軟性の高いゴムによって形成される。保護チューブ１８は，例えば中間チューブ１６と同一の素材によって形成することとしてもよい。
【００３６】
図３は，照明部材２０を拡大した断面図である。照射部材２０は，アーム部材１０の上端かしめられたカシメ部材２５を介して，アーム部材１０に連結されている。アーム部材１０の上端においては，中空構造の固定パイプ１２内に，フレキシブルパイプ１４が挿入され，固着されている。そして，固定パイプ１２は，一端がフレキシブルパイプ１４に固着され，その他端には，カシメ部材２５が，かしめられている。そして，アーム部材１０は，カシメ部材２５を介して，照明部材２０と連結していている。アーム部材１０の上端においても，固定パイプ１２に挿入されたフレキシブルパイプ１４は，固定パイプ１２に挿入された部分を除き，全体が中間チューブ１６によって被覆されている。従って，フレキシブルアーム１０の上端においても，固定パイプ１２とフレキシブルパイプ１６の段差は，中間チューブ１６によって埋められている。
【００３７】
図３に示すように，照明部材２０は，光源４１と，光源４１が取り付けられたネック４２と，ネック４２に着脱自在に取り付けられたシェード２６を有する。光源４１は，ネック４２の先端に取り付けられ，シェード２６によって覆われた範囲内において光を照射する。ネック４２内には，フレキシブルパイプ１４と連結するための連結機構が備わっている。シェード２６は，ネック４２に取り付けられた部分から開放端に向かって幅広に広がる形状であり，外観において略円錐台形状をなしている。
【００３８】
光源４１は，電線５０に接続され，電線５０を介してベース部材３０から電力の供給を受けて発光する発光体である。光源４１は，発光ダイオード（ＬＥＤ）であることが好ましい。光源４１の数は１つであってもよいし，複数であってもよい。また，光源４１の発光色は，例えば，白色，白昼色，青色，又は赤色である。光源４１は，一面が開放された略円筒形のヒートシンク４４内に配設される。光源４１が発する熱はヒートシンク４４によって放散される。ヒートシンク４４は，熱伝導性の高いアルミや銅などの金属が材料として形成すればよい。ヒートシンク４４の開放面には，レンズ体４３が嵌め込まれる。レンズ体４３は，光源４１から照射される光を集光し，スポット配光がなされるように構成されている。ヒートシンク４４自体は，ネック４２から取り外すことができ，消耗した光源４１を交換することができる。
【００３９】
ネック４２内には，アーム部材１０のフレキシブルパイプ１４と連結するための連結機構を備えている。連結機構は，フレキシブルパイプ１４の上端に取り付けられた可動ボール１９と，可動ボール１９の回転を制御する回転止め螺子２１と，可動ボール１９を挟持する挟持部２２と，挟持部２２が可動ボール１９を挟み込む強さを調整する調整部２４からなる。フレキシブルパイプ１４の先端は，可動ボール１９の円筒状のハウジング１９ａ内に挿入され，フレキシブルパイプ１４の長軸方向と直交する方向に差し込まれたピン１９ｂによってフレキシブルパイプ１４に固定される。また，可動ボール１９のハウジング１９ａの端部には，略球形状のボール部１９ｃが形成されている。一方，挟持部２２は，中空の円筒形状の挟持部本体２２ａと，挟持部本体２２ａのうち可動ボール１９に接する部分に形成された円形開口部２２ｂを有し，可動ボール１９のボール部１９ｃに適合するように窪んでいる。そして，可動ボール１９のボール部１９ｃは，挟持部２２の窪みに嵌め込むようにして，挟持部２２によって挟み込まれる。また，ネック４２には，ネック４２の外壁に雌ネジ孔が形成された孔部４２ａが貫通形成されている。そして，雄ネジ２４（調整部２４）が，孔部４２ａを介して，ネック４２内部に差し込まれている。雄ネジ２４は，先端が挟持部２２の本体２２ａにまで達する長さを有し，その先端は挟持部本体２２ａに接している。従って，雄ネジ２４を，ネック４２の内部方向にねじ込むことにより，挟持部本体２２ａが押圧される。挟持部本体２２ａが押圧されると，挟持部２２が，可動ボール１９のボール部１９ｃを挟み込む強さが向上する。このようにして，雄ネジ２４を締め込むことで可動ボール１９を挟持部２２に固定することができる。
【００４０】
一方，雄ネジ２４を緩めることで，可動ボール１９は挟持部２２から開放される。可動ボール１９が開放されると，挟持部２２に固定されたネック４２は，挟持部２２の凹部２２ｂが可動ボール１９のボール部１９ｃに沿うように，その向きを変えることができる。このように，ネック４２が向きを変えることで，光源４１の照射方向を微調整することができる。
【００４１】
また，可動ボール１９には，可動ボール１９の回転を制御する回転止め螺子２１が挿着されている。さらに，挟持部２２のうち可動ボール１９に接する部分には円形開口部２２ｂが形成されている。そして，挟持部２２が可動ボール１９を挟持している状態において，可動ボール１９の回転止め螺子２１は，挟持部２２の円形開口部２２ｂ内に配設されている。これにより，可動ボール１９は，回転止め螺子２１が円形開口部２２ｂ内で動く範囲において，シェード２６を回転させる。一般的に，挟持部２２が可動ボール１９を挟持することによりシェード２６は自在に可動するが，可動ボール１９の軸を中心として回転し続けることとなる。特に，ネック４２に電線が配置されている場合，可動ボール１９が同じ方向に回転し続けると，電線がよじれ，最終的には断線してしまう可能性がある。すなわち，電線がショートし発火する危険性もある。そこで，本実施の形態においては，可動ボール１９に回転止め螺子２１を設け，挟持部２２に円形開口部２６を形成し，円形開口部２２ｂ内に回転止め螺子２１が位置するように挟持部２２に可動ボール１９を挟持させることにより，シェード２６の回転範囲を制限している。
【００４２】
シェード２６は，図３に示すように，ネック４２の先端とヒートシンク４４の間に係合される係合部２６ａを有する。シェード２６は，係合部２６ａをネック４２とヒートシンク４４の間に係合させることにより，ネック４２に取り付けられている。このため，シェード２６は，ヒートシンク４４をネック４２から取り外すことで，容易にネック４２から取り外すことができる。シェード２６は，ネック４２に取り付けられた部分から開放端に向かって幅広に広がる形状であり，外観において略円錐台形状をなしている。シェード２６の内壁には，光源４１から放射される光を反射する塗料を塗布したり，反射材を貼付したりしてもよい。
【００４３】
一方，図１において示すように，アーム部材１０の下端は，ベース部材３０によって固定されている。つまり，アーム部材１０の固定パイプ１２が，ベース部材３０内に挿入され，ベース部材３０に固定されている。固定パイプ１２は，例えば，固定パイプ１２の下端に形成された雄ネジを，ベース部材３０内に設けられた雌ネジに螺合するようにして，ベース部材３０に固定される。このようなネジ構造で，固定パイプ１２がベース部材３０に固定されることにより，例えば照明器具１を修理する際に，簡単に固定パイプ１２をベース部材３０から取り外すことができる。
【００４４】
図８に示すように，ベース部材３０は，略円錐台形状に形成されている。照明器具１が起立した状態においてバランスを維持するために，アーム部材１０は，ベース部材３０の中心からずらした位置に固定される。
【００４５】
ベース部材３０内には，照明部材２０の光源４１に電力を供給するための制御部が設けられる。制御部の出力端子は，電線５０により光源４１に接続される。制御部の入力端子は，例えば，商用電源コンセントに接続するためのプラグ３２が接続される。電線５０は，アーム部材１０を介して光源４１に接続されている。ベース部材３０は，バッテリーが内蔵されたものであってもよいし，太陽光を電力に変換する太陽電池が敷設されたものであってもよい。さらに，制御部の入力端子と電線５０の間には，プッシュ式のスイッチ３４が設けられている。従って，ベース部材３０の上面からスイッチ３４を押下することにより，光源４１の点灯及び消灯を選択することができる。
【産業上の利用可能性】
【００４６】
本考案は，自在に湾曲可能なアームを有するスタンド型の照明器具として利用することができる。
【符号の説明】
【００４７】
１      照明器具
１０    アーム部材
１２    固定パイプ
１４    フレキシブルパイプ
１６    中間チューブ
１８    保護チューブ
１９    可動ボール
１９ａ  ハウジング
１９ｂ  ピン
１９ｃ  ボール部
２０    照明部材
２１    回転止め螺子
２２    挟持部
２２ａ  挟持部本体
２２ｂ  円形開口部
２４    調整部
２５    カシメ部材
２６    シェード
３０    ベース部材
３２    プラグ
３４    スイッチ
４１    光源
４２    ネック
４２ａ  孔部
４３    レンズ体
４４    ヒートシンク
５０    電線
【図１】
0003164930.tif 000003
【図２】
0003164930.tif 000004
【図３】
0003164930.tif 000005
【図４】
0003164930.tif 000006
【図５】
0003164930.tif 000007
【図６】
0003164930.tif 000008
【図７】
0003164930.tif 000009
【図８】
0003164930.tif 000010